(57)【要約】【課題】作業性を向上させることができると共に高所における作業を少なくして施工の際の危険を小さくすることができる横葺屋根材の接続部材を提供する。【解決手段】屋根下地１に敷設される隣り合う横葺屋根材２、２の側端部同士を接続するための接続部材に関する。屋根下地１と横葺屋根材２の間において隣り合う横葺屋根材２、２に亘って配設される基板３と、基板３との間で横葺屋根材２の側端部を挟持するためのカバー材５とを一体に備える。屋根下地１上の高所で基板３とカバー材５を組み立てる必要がなく、基板３とカバー材５の間に横葺屋根材２の側端部を差し込むだけで接続部材Ａを介して隣り合う横葺屋根材２を接続することができる。【選択図】　図１
2004060275.tif 000002
【特許請求の範囲】
【請求項１】
屋根下地に敷設される隣り合う横葺屋根材の側端部同士を接続するための接続部材であって、屋根下地と横葺屋根材の間において隣り合う横葺屋根材に亘って配設される基板と、基板との間で横葺屋根材の側端部を挟持するためのカバー材とを一体に備えて成ることを特徴とする横葺屋根材の接続部材。
【請求項２】
隣り合う横葺屋根材の側端部間において基板の上面に軒棟方向に沿って連結部を突設し、連結部にカバー材を連結することによりカバー材を軒棟方向に沿ってスライド移動自在に形成し、カバー材をスライド移動させることによって横葺屋根材に形成した被係止部に係止させるための係止部をカバー材に形成して成ることを特徴とする請求項１に記載の横葺屋根材の接続部材。
【請求項３】
軒棟方向と直交する方向に沿って谷が形成されるように、基板と連結部とカバー材とを屈曲して成ることを特徴とする請求項２に記載の横葺屋根材の接続部材。
【請求項４】
請求項１乃至３のいずれかに記載の接続部材を用いた横葺屋根材の接続構造であって、屋根下地に接続部材を敷設し、横葺屋根材の側端部を基板とカバー材との間に差し込んで挟持することによって隣り合う横葺屋根材を接続して成ることを特徴とする横葺屋根材の接続構造。
【発明の詳細な説明】
【０００１】
【発明の属する技術分野】
本発明は、屋根勾配に沿って下方から上方へと屋根下地に葺き上げていく横葺屋根材の横方向（軒棟方向と直交する方向、すなわち屋根勾配と直交する方向）の接続に用いる接続部材及びその接続構造に関するものである。
【０００２】
【従来の技術】
横方向に隣り合う横葺屋根材の接続方法は従来から各種の方法が採用されているが、例えば、特開平４−２２８７５８号公報に記載の方法が本出願人によって提案されている。この公報の方法は、二つの差し込み片、カバー材、捨て板を用いて横葺屋根材を接続するものであって、断面略コ字状に形成された差し込み片の溝内に横葺屋根材の側端部を挿入し、差し込み片を取り付けた二つの横葺屋根材をその側端部が隣接するようにして捨て板の表面に並べ、両側縁の下面側に内方へ突出させた係止片を有するカバー材を上記の隣接する横葺屋根材の表面間に跨らせて配置し、横葺屋根材に取り付けた上記差し込み片の溝内にカバー材の係止片を差し込んで係止するようにしたものである。
【０００３】
【発明が解決しようとする課題】
しかし、上記の接続方法では、差し込み片とカバー材と捨て板及び横葺屋根材とがそれぞれ別体で形成されているので、これらを屋根下地上の高所で順次組み立てていかなければならず、作業性が低く、しかも大きな危険を伴うという問題があった。
【０００４】
本発明は上記の点に鑑みてなされたものであり、作業性を向上させることができると共に高所における作業を少なくして施工の際の危険を小さくすることができる横葺屋根材の接続部材及び横葺屋根材の接続構造を提供することを目的とするものである。
【０００５】
【課題を解決するための手段】
本発明の請求項１に係る横葺屋根材の接続部材Ａは、屋根下地１に敷設される隣り合う横葺屋根材２、２の側端部同士を接続するための接続部材であって、屋根下地１と横葺屋根材２の間において隣り合う横葺屋根材２、２に亘って配設される基板３と、基板３との間で横葺屋根材２の側端部を挟持するためのカバー材５とを一体に備えて成ることを特徴とするものであり、屋根下地１上の高所で基板３とカバー材５を組み立てる必要がなく、基板３とカバー材５の間に横葺屋根材２の側端部を差し込むだけで接続部材Ａを介して隣り合う横葺屋根材２を接続することができ、作業性を向上させることができると共に高所における作業を少なくして施工の際の危険を小さくすることができるものである。
【０００６】
また、本発明の請求項２に係る横葺屋根材の接続部材Ａは、請求項１に加えて、隣り合う横葺屋根材２、２の側端部間において基板３の上面に軒棟方向に沿って連結部４を突設し、連結部４にカバー材５を連結することによりカバー材５を軒棟方向に沿ってスライド移動自在に形成し、カバー材５をスライド移動させることによって横葺屋根材２に形成した被係止部６に係止させるための係止部７をカバー材５に形成して成ることを特徴とするものであり、横葺屋根材２の被係止部６にカバー材５の係止部７を係止することによって、接続部材Ａと横葺屋根材２とを強固に連結することができ、接続部材Ａに対する横葺屋根材２の取り付け強度を高くすることができるものである。
【０００７】
本発明の請求項３に係る横葺屋根材の接続部材Ａは、請求項２に加えて、軒棟方向と直交する方向に沿って谷が形成されるように、基板３と連結部４とカバー材５とを屈曲して成ることを特徴とするものであり、連結部４の屈曲部分でカバー材５を引っ掛けてそのスライド移動を止めることができ、カバー材５が連結部４から外れて基板３から脱落するのを防止することができるものである。
【０００８】
本発明の請求項４に係る横葺屋根材の接続構造は、請求項１乃至３のいずれかに記載の接続部材Ａを用いた横葺屋根材の接続構造であって、屋根下地１に接続部材Ａを敷設し、横葺屋根材２の側端部を基板３とカバー材５との間に差し込んで挟持することによって隣り合う横葺屋根材２、２を接続して成ることを特徴とするものであり、屋根下地１上の高所で基板３とカバー材５を組み立てる必要がなく、基板３とカバー材５の間に横葺屋根材２の側端部を差し込むだけで接続部材Ａを介して隣り合う横葺屋根材２を接続することができ、作業性を向上させることができると共に高所における作業を少なくして施工の際の危険を小さくすることができるものである。
【０００９】
【発明の実施の形態】
以下、本発明の実施の形態を説明する。
【００１０】
図２に示すように横葺屋根材２は、カラー鋼板やカラーステンレス鋼板、又は塩化ビニル系樹脂やフッ素系樹脂をラミネートした鋼板などの耐食性のある金属板等の板材で形成されるものであって、裏面側に緩やかな凸状に屈曲された断面略逆へ字状の屋根材本体１０と、屋根材本体１０の下端部（軒側端部）を裏面側に断面略コ字状に折り曲げて形成される嵌合部１１と、屋根材本体１０の上部（棟側部）を表面側に向けて折り曲げて形成される断面略倒Ｌ字状の被嵌合部１２と、屋根材本体１０の上端部（棟側端部）を表面側に向けて断面略倒Ｌ字状に折り曲げて形成される突出部１３とで構成されている。また、屋根材本体１０の上下方向（軒棟方向すなわち屋根勾配の方向）の略中央部において、横方向に沿って長い谷が全長に亘って形成されるように、屋根材本体１０の上下方向の略中央部は裏面側に向かって突出させて屈曲されており、この屈曲した部分が屋根材屈曲部４０として形成されている。
【００１１】
図３に示すように、接続部材Ａは基板３とカバー材５とを一体的に備えて形成されている。基板３は横葺屋根材２と同様の材料で形成することができる。基板３の下端部には裏面側に向けて斜めに折り曲げられた傾斜片２０が横方向の全長に亘って形成されていると共に基板３の上端部には表面側に向けて折り曲げられた当接片２１が横方向の全長に亘って形成されている。また、基板３の表面（上面）の略中央部には上下方向の全長に亘って連結部４が形成されている。連結部４は基板３の材料を屈曲形成することにより基板３の表面に突設されている。また、連結部４は断面略Ｔ字状に形成されており、連結部４の両方の側面には溝部２２が上下方向の全長に亘って形成されている。さらに、基板３の両端部には表面側に向けて折り返された折り返し片２３が形成されている。そして、基板３の上下方向の略中央部において、横方向に沿って長い谷が全長に亘って形成されるように、基板３の上下方向の略中央部は裏面側に向かって突出させて屈曲されており、基板３の屈曲した部分が基板屈曲部４１として、連結部４の屈曲した部分が連結部屈曲部４２としてそれぞれ形成されている。
【００１２】
カバー材５は横葺屋根材２と同様の材料で形成することができる。カバー材５は、図４に示すように、矩形板状に形成される表面板５１と、表面板５１の幅方向の両端部から表面板５１の裏面側に折り返し屈曲して形成される一対の連結片５２と、表面板５１の上端から表面板５１の表面側に屈曲して形成される断面略Ｕ字状の係止部７と、表面板５１及び連結片５２の下端を連結片５２の裏面側に屈曲して形成される断面略コ字状の係合部５３とを備えて形成されている。また、各連結片５２の長手方向の略中央部には底面視でコ字状の中央切欠部５４が形成されている。各中央切欠部５４は連結片５２の先端に開口させて形成されており、また、各中央切欠部５４は互いに対向する位置に形成されている。さらに、各連結片５２の長手方向の下部には下端切欠部５５が形成されている。各下端切欠部５５は連結片５２の先端及び下端に開口させて形成されており、また、各下端切欠部５５は互いに対向する位置に形成されている。そして、カバー材５の上下方向の略中央部において、横方向に沿って長い谷が全長に亘って形成されるように、カバー材５の上下方向の略中央部は裏面側に向かって突出させて屈曲されており、カバー材５の屈曲した部分がカバー材屈曲部４３として形成されている。このカバー材屈曲部４３は中央切欠部５４のほぼ中央を横方向に横切るように形成されるものである。
【００１３】
そして、図５に示すように、一対の連結片５２を基板３に設けた連結部４の両側の溝部２２にそれぞれ差し込んで連結片５２と表面板５１との間で連結部４を挟持することによって、カバー材５を連結部４に連結してカバー材５を基板３に取り付けるようにしている。また、カバー材５を連結部４の長手方向（上下方向）に対してスライド移動可能に連結されており、これにより、カバー材５は基板３の表面で基板３に対して上下方向にスライド移動自在に形成されている。
【００１４】
ここで、カバー材５の係合部５３は基板３の傾斜片２０よりも下側（先端側）に位置するものであり、図３（ａ）及び図６（ａ）に示すように、カバー材５を軒棟方向と略平行に上側（棟側）にスライド移動させると、係合部５３が傾斜片２０の先端に引っ掛かって係合されて、カバー材５がそれ以上上側にスライド移動しないようになるものである。また、カバー材５が最も上動した位置では基板屈曲部４１の位置と連結部屈曲部４２の位置とカバー材屈曲部４３の位置がほぼ一致するようになるものである。
【００１５】
一方、図６（ｂ）に矢印で示すように、カバー材５を軒棟方向と略平行に下側（軒側）にスライド移動させて図３（ｂ）に示す状態にすると、連結片５２に設けた中央切欠部５４の上縁５４ａが溝部２２内において連結部屈曲部４２及びその近傍に引っ掛かるものであり、これにより、カバー材５の中央切欠部５４よりも上部が連結部屈曲部４２を通過することができず、カバー材５がそれ以上下側にスライド移動しないようになるものである。また、カバー材５が最も下動した位置では基板屈曲部４１及び連結部屈曲部４２よりもカバー材屈曲部４３が下側に位置するようになるものである。
【００１６】
このようにして基板３にカバー材５を取り付けて容易に分離しないように一体化することにより本発明の接続部材Ａが形成されるものであり、また、カバー材５をスライド移動させても連結部４の屈曲部分でカバー材５を引っ掛けてそのスライド移動を止めることができ、カバー材５が連結部４から外れて基板３から脱落するのを防止することができるものである。
【００１７】
そして、本発明の接続部材Ａを用いて隣り合う二つの横葺屋根材２、２を接続するにあたっては、次にようにして行うことができる。まず、接続部材Ａを屋根下地１の所定の位置に載置して敷設する。屋根下地１としてはアスファルトルーフィング等の防水シート２４を敷設した野地板２５などを例示することができる。この際、接続部材Ａの傾斜片２０はこの接続部材Ａよりも下側に葺設された横葺屋根材２の被嵌合部１２の上（表面）に載置される。また、接続部材Ａのカバー材５は最も下側にスライド移動させた状態にする。
【００１８】
次に、図７に矢印で示すように、敷設した接続部材Ａの側方から横葺屋根材２を近づけて横葺屋根材２の屋根材本体１０の側端部を接続部材Ａの基板３とカバー材５の連結片５２と間の隙間に挿入すると共に上記の横葺屋根材２の側部を接続部材Ａの基板３の上面に載置する。この際、屋根材本体１０の側端部は連結片５２を基板３から離れる方向に押し上げるように弾性変形させながら、基板３と連結片５２と間に挿入されるものである。また、横葺屋根材２の屋根材屈曲部４０と接続部材Ａの基板屈曲部４１がほぼ重なるようにする。また、横葺屋根材２の嵌合部１１はこれよりも下側に葺設された横葺屋根材２の被嵌合部１２に嵌合されて上下の横葺屋根材２が接続される。また、接続部材Ａの当接片２１は横葺屋根材２の突出部１３の上面（棟側の面）に当接するようにする。このようにして接続部材Ａの幅方向の両側に横葺屋根材２をそれぞれ配設する。
【００１９】
次に、図７に矢印で示すように、カバー材５を上側に向かってスライド移動させる。これにより、屋根材屈曲部４０と基板屈曲部４１と連結部屈曲部４２及びカバー材屈曲部４３はほぼ重なるものである。また、カバー材５の上動によりカバー材５の係止部７が横葺屋根材２の屋根材本体１０と被嵌合部１２との間に挿入され、係止部７が被嵌合部１２の下側に係止される。すなわち、カバー材５の係止部７を係止するための被係止部６として横葺屋根材２の被嵌合部１２を用いるものであり、係止部７と被嵌合部１２の係止により横葺屋根材２を接続部材Ａに強固に連結して取り付けるものである。次に、被嵌合部１２と突出部１３の間において横葺屋根材２にビス等の固定具を打ち込んで屋根下地１に固定する。このようにして、横葺屋根材２の屋根材本体１０の側端部を接続部材Ａの基板３とカバー材５とで挟持することによって、図１に示すように、接続部材Ａを介して横方向に隣合う横葺屋根材２を接続することができる。また、上記の作業を順次繰り返しおこなって上下左右の横葺屋根材２を接続することによって、屋根を形成することができるものである。尚、図１において、２６は母屋、２７は唐草である。
【００２０】
【発明の効果】
上記のように本発明の請求項１の発明は、屋根下地に敷設される隣り合う横葺屋根材の側端部同士を接続するための接続部材であって、屋根下地と横葺屋根材の間において隣り合う横葺屋根材に亘って配設される基板と、基板との間で横葺屋根材の側端部を挟持するためのカバー材とを一体に備えて成ることを特徴とするものであり、屋根下地上の高所で基板とカバー材を組み立てる必要がなく、基板とカバー材の間に横葺屋根材の側端部を差し込むだけで接続部材を介して隣り合う横葺屋根材を接続することができ、作業性を向上させることができると共に高所における作業を少なくして施工の際の危険を小さくすることができるものである。
【００２１】
また、本発明の請求項２の発明は、隣り合う横葺屋根材の側端部間において基板の上面に軒棟方向に沿って連結部を突設し、連結部にカバー材を連結することによりカバー材を軒棟方向に沿ってスライド移動自在に形成し、カバー材をスライド移動させることによって横葺屋根材に形成した被係止部に係止させるための係止部をカバー材に形成して成ることを特徴とするものであり、横葺屋根材の被係止部にカバー材の係止部７を係止することによって、接続部材と横葺屋根材とを強固に連結することができ、接続部材に対する横葺屋根材の取り付け強度を高くすることができるものである。
【００２２】
また、本発明の請求項３の発明は、軒棟方向と直交する方向に沿って谷が形成されるように、基板と連結部とカバー材とを屈曲して成ることを特徴とするものであり、連結部の屈曲部分でカバー材を引っ掛けてそのスライド移動を止めることができ、カバー材が連結部から外れて基板から脱落するのを防止することができるものである。
【００２３】
本発明の請求項４の発明は、請求項１乃至３のいずれかに記載の接続部材を用いた横葺屋根材の接続構造であって、屋根下地に接続部材を敷設し、横葺屋根材の側端部を基板とカバー材との間に差し込んで挟持することによって隣り合う横葺屋根材を接続して成ることを特徴とするものであり、屋根下地上の高所で基板とカバー材を組み立てる必要がなく、基板とカバー材の間に横葺屋根材の側端部を差し込むだけで接続部材を介して隣り合う横葺屋根材を接続することができ、作業性を向上させることができると共に高所における作業を少なくして施工の際の危険を小さくすることができるものである。
【図面の簡単な説明】
【図１】本発明の実施の形態を示す一部を破断した斜視図である。
【図２】同上の横葺屋根材を示し、（ａ）は斜視図、（ｂ）は側面図である。
【図３】同上の接続部材を示し、（ａ）（ｂ）は平面図である。
【図４】同上のカバー材を示し、（ａ）は底面図、（ｂ）は平面図、（ｃ）は側面図である。
【図５】同上の接続部材の一部を示す概略の断面図である。
【図６】同上の（ａ）は図３のａ′−ａ′断面図、（ｂ）はｂ′−ｂ′断面図である。
【図７】同上の施工途中を示す一部の斜視図である。
【符号の説明】
１　屋根下地
２　横葺屋根材
３　基板
４　連結部
５　カバー材
６　被係止部
７　係止部
Ａ　接続部材
【図１】
2004060275.tif 000003
【図２】
2004060275.tif 000004
【図３】
2004060275.tif 000005
【図４】
2004060275.tif 000006
【図５】
2004060275.tif 000007
【図６】
2004060275.tif 000008
【図７】
2004060275.tif 000009